(57)【要約】      （修正有）【課題】強度がよくプレス加工ができ、切り屑が生成しなく、清潔が便利であることと人に悪影響を与えないことが実現されるだけでなく、より優れた防音効果が得られる紙板体構造改良を提供する。【解決手段】主として、二つの外板１０と、外板同士の間に結合される複数の紙管２０とからなり、外板は紙から構成され、その外表面に木目皮や他の防水皮層を貼ることができ、また、周縁の部位に折り部１１が形成され、紙管は円形状で同じ高さを有し、互いに円周で接するように接触し、上下二つの外板同士の間に配列され、また、隙間が形成され、各紙管は上下の縁で外板に粘着結合され、また、各紙管が互いに接する円周により黏結固定され、これにより紙の板体が形成される。【選択図】図１
0003120471.tif 000002
【実用新案登録請求の範囲】
【請求項１】
二つの外板同士の間に紙管が結合される紙板体構造改良であって、
外板が、紙から構成され、紙管が、円形状で、同じ高さを有し、互いに円周で接するように接触し、上下二つの外板同士の間に配列され、また、隙間が形成され、各紙管が、上、下の縁で、上下二つの外板に粘着結合され、各紙管が、互いに接する円周により黏結固定されることにより、紙板体が形成され、
力学原理に基づいて、空心状態の紙管により、実体の支持強度を持つ
ことを特徴とする紙板体構造。
【請求項２】
外板の外表面に木目皮や他の防水皮層を貼ることを特徴とする請求項１に記載の紙板体構造。
【請求項３】
外板の周縁部位は、封止するための折り部が形成されることを特徴とする請求項１に記載の紙板体構造。
【考案の詳細な説明】
【技術分野】
【０００１】
本考案は、木板の代わりに、例えば、収納棚や仕切り板、机、椅子及び靴収納棚等の様々の家具に使用できるだけでなく、例えば、床や移動荷物台等の物件に使用できる「紙板体構造」に関する。
【背景技術】
【０００２】
木板が、大幅に応用され、例えば、家の仕切りや床、そして、収納棚や靴収納棚の仕切り板や側板及び机や椅子の表面等の様々の木板家具に適用され、また、早期の木板は、原木実体であり、しかしながら、木の資源が減少したため、様々の木板が開発されて登場し、主な原因として、原木実体の木板は、産量が少ないため、価額が高くなり、また、形状や質量が安定的ではなく、そのため、良く見られるのは、複数の薄い木片を重ねて粘着することによる木板があり、また、複数の小さい木のブロックを粘着して形成される木板があり、そして、木の屑に樹脂を混合して形成される木板があり、上記の何れかの方式による板体は、主な成分として、木であり、木を主成分とした板体は、構造が緊密で、使用すう時、のこぎりで切り離すか切削機械で切削するかにより、結合するための孔槽が形成され、のこぎりによる切り離す場合、過程において、木の板体から切り屑が生成されるため、清潔が容易ではなく、また、生成した切り屑が、微細的且つ鋭いため、加工過程において、人に傷つく恐れがあり、また、上記のような方式による木板体は、実体の設計であるため、例えば、仕切り板や床に使用される場合、防音の効果が良くないから、防音効果を得るために、別に防音構造が必要とする。
【考案の開示】
【考案が解決しようとする課題】
【０００３】
本考案の主な目的は、全体が、柔らかい且つ細かいパルプによって作製され、柔らかい且つ細かいパルプであるが、二つの紙外板同士の間に、粘着固定された紙管が結合されるため、木板体と同じの強度を持つ紙板体構造を提供する。
【０００４】
本考案の他の目的は、板体の二つの外板に挟まれた各紙管同士の間に形成された隙間により、有効に、騒音が低減され、仕切りに利用されると、優れた防音効果が得られる紙板体構造を提供する。
【課題を解決するための手段】
【０００５】
主として、二つの外板と、前記の外板同士の間に結合される複数の紙管とからなり、外板は、紙から構成され、その外表面に木目皮や他の防水皮層を貼ることができ、また、周縁の部位に、折り部が形成され、当該紙管は、円形状で、同じ高さを有し、互いに円周で接するように接触し、上下二つの外板同士の間に配列され、また、隙間が形成され、各紙管は、上、下の縁で、外板に粘着結合され、また、各紙管が、互いに接する円周により、黏結固定され、これにより、紙の板体が形成され、これにより、強度がよく、プレス加工ができ、また、切り屑が生成しなく、清潔が便利であることと人に悪影響を与えないことが実現されるだけでなく、より優れた防音効果が得られる。
【考案を実施するための最良の形態】
【０００６】
図１、２のように、主として、二つの外板１０があり、当該外板１０同士の間に、複数の紙管２０が結合され、当該外板１０は、紙から構成され、その外表面に木目皮や他の防水皮層を貼ることができ、また、周縁の部位に、折り部１１が形成され、当該紙管２０は、円形状で、同じ高さを有し、互いに円周で接するように接触し、上下の二つの外板１０同士の間に配列され、また、隙間２１が形成され、各紙管２０は、上、下の縁で、当該外板１０に粘着結合され、また、各紙管２０が、互いに接する円周により、粘着結合され、これにより、紙の板体１が形成され、外板１０の折り部１１は、紙管２０の高さに合わせて設置され、二つの外板の端部の高さ方向の隙間を封止し、紙管２０の力学原理により、中空状態でも実態の支持強度が得られる。
【０００７】
当該紙板体１は、様々の物件に適用でき、例えば、移動荷物台や収納棚である。
【０００８】
図３のように、板体１は、周縁が、折り部１１によって封止された後、底部に、複数の足柱３０が結合され、当該足柱３０により、平面支持強度が充分にある板体１が、所定の高さに支持され、これにより、紙移動荷物台になり、品物を堆積することに供して、湿気を防止することや便利に輸送できることに有利である。
【０００９】
図４のように、当該板体１を、それぞれ、左、右側板Ａと背板Ｂとして、互いに結合し、また、板体１を層板Ｃとして使用し、層板Ｃを、左、右側板Ａの所定の各高さに結合することにより、収納棚が形成される。
【００１０】
前記の板体１の結合と切削は、図５、６、７のようであり、まず、図５を参照しながら、予めに形状やサイズを設定したカッター２で、板体１をプレスすることにより、板体１に結合槽１０１が形成され、また、板体１の外板１０の端面に、結合部１０２が形成され、そして、図６のように、結合部１０２が結合槽１０１に結合されることにより、二つの板体１が結合されて固定され、また、図７のように、形成した結合槽１０１がより深くなると、板体１の全体の厚さで、結合することができる。
【００１１】
上記の具体的な実施例の構造によれば、下記の効果が得られ、板体１は、全体が、柔らかい且つ細かいパルプによって作製され、柔らかい且つ細かいパルプであるが、二つの紙外板１０同士の間に、粘着固定された紙管２０が結合されるため、木板体と同じの強度を持ち、また、紙で作製される板体１は、切削加工で切ることやカッター２でプレスすることができ、また、カッター２でプレスする場合、切り屑の生成が完全にないため、清潔の問題がなく、また、切る場合、切り屑が生成されるが、切り屑は、人に悪影響がなく、また、直接に回収して再加工することにより、他の紙製品に利用でき、そして、板体１が成形された後、二つの外板１０に挟まれた各紙管２０同士の間に形成された隙間２１により、有効に、騒音が低減され、仕切りに利用されると、優れた防音効果が得られる。
【図面の簡単な説明】
【００１２】
【図１】本考案の立体組立て図
【図２】本考案の立体分解図
【図３】本考案を移動荷物台に適用する時の立体組立て図
【図４】本考案を収納棚に適用する時の立体組立て図
【図５】本考案において、カッターで結合槽を加工する時の動作概念図
【図６】本考案において、二つの板体が結合槽と結合部によって組み立てられる時の分解概念図
【図７】本考案において、二つの板体が結合槽と結合部によって組立てられる時の断面概念図
【符号の説明】
【００１３】
１                   板体
２                   カッター
１０                 外板
１０１               結合槽
１０２               結合部
１１                 折り部
２０                 紙管
２１                 隙間
３０                 足柱
Ａ                   側板
Ｂ                   背板
Ｃ                   層板
【図１】
0003120471.tif 000003
【図２】
0003120471.tif 000004
【図３】
0003120471.tif 000005
【図４】
0003120471.tif 000006
【図５】
0003120471.tif 000007
【図６】
0003120471.tif 000008
【図７】
0003120471.tif 000009